(57)【要約】【課題】簡単な構成により、衝突時におけるペダルの車両後方への移動を確実に阻止できるようにする。【解決手段】ペダルブラケット３の後端部を覆うように連結ブラケット６の左右の両側にフランジ６ｅ，６ｆを一体形成し、両フランジ６ｅ，６ｆの前端部間に橋絡片１２を橋絡する。これにより、車両の衝突時の連結ブラケット６の変形を防止することができ、連結ブラケット６の傾斜部材の前端部からの離脱を容易にし、ペダルブラケット３の車両後方部分を車両後下方に円滑に移動させてブレーキペダルを車両前方に向けて回転させることができると同時に、ペダルブラケット３の後端部の上向き回転をも防止でき、簡単な構成により、衝突時におけるブレーキペダルの車両後方への移動を確実に阻止することができる。【選択図】図３
2015158836.tif 000002
【特許請求の範囲】
【請求項１】
ペダルが揺動可能にペダルブラケットに支持され、逆Ｌ字状のペダル側部材の下端が前記ペダルブラケットの車両後方部分に固定され、後方に向かうほど下向きに傾斜した車両部材の前端部下面に前記ペダル側部材の上端が車両後方に向って離脱可能に連結され、衝突等による車両後方への衝撃が前記ペダルブラケットに加わることにより、前記ペダル側部材の上端が前記車体部材から離脱した後に、前記ペダル側部材の上面が前記車両部材の下面を車両後方へ摺動するに連れ前記ペダルブラケットの前記車両後方部分が車両下方に導かれることによって、前記ペダルの車両後方への移動を阻止する車両のペダル支持構造において、
前記ペダルブラケットの後端部を覆うように前記ペダル側部材の左右の両側に一体形成されたフランジと、
前記両フランジの前端部間を橋絡して設けられた橋絡片と
を備えることを特徴とする車両のペダル支持構造。
【発明の詳細な説明】
【技術分野】
【０００１】
本発明は、ペダルを揺動可能に支持するペダルブラケットを車体部材に離脱可能に連結し、離脱後においてはペダルブラケットを車両後方に向かうほど下方に導くようにしてペダルの車両後方への移動を阻止する車両のペダル支持構造に関する。
【背景技術】
【０００２】
従来、ペダルを揺動可能にペダルブラケットに支持し、略９０度屈曲した逆Ｌ字状のペダル側部材の下端をペダルブラケットの車両後方部分に固定し、後方に向かうほど下向きに傾斜した車両部材の前端部下面に、ペダル側部材の上端を車両後方に向って離脱可能に連結し、衝突等による車両後方への衝撃がペダルブラケットに加わることにより、ペダル側部材の上端が車体部材から離脱した後に、ペダル側部材の上面が車両部材の下面を車両後方へ摺動するに連れペダルブラケットの車両後方部分が車両下方に導かれることによって、ペダルの車両後方への移動を阻止するようにしたペダル支持構造が提案されている（例えば、特許文献１）。
【０００３】
このような構成により、車両の衝突時に、ペダルブラケットに車両後方への衝撃が加わってペダルブラケットが車両後方に移動すると、ペダル側部材の上端が車体部材から離脱して連結が外れ、ペダル側部材の上面が車両部材の下面を車両後方へ摺動し、この摺動が進むに連れ、ペダルブラケットの車両後方部分が車両下方に導かれてペダルブラケットの車両後方部分が車両後下方に移動し、相対的にペダルが揺動軸の周りを車両前方に向けて回転して車両後方への移動が阻止され、衝突に伴ってペダルが車両後方に移動することによる乗員の足部の圧迫が未然に防止される。
【先行技術文献】
【特許文献】
【０００４】
【特許文献１】特開２０１３−２０３１３７号公報（段落００１１−００１３および図１参照）
【発明の概要】
【発明が解決しようとする課題】
【０００５】
しかし、上記した特許文献１の構造の場合、衝突時の衝撃の加わり方によってはペダル側部材の屈曲角度が略９０度の状態から１００度以上になって“へ”字状に変形したり、ペダル側部材の左右の両側には補強のために小幅のフランジが形成されていても、このフランジが左右に拡開するいわゆる口開き変形が生じたりし、このようなペダル側部材の変形によりペダルブラケットの後端部が上向きに回転してペダル側部材の上面が車体部材下面を摺動せず、ペダルブラケットが車両後方に移動してもペダルブラケットは車両下方に導かれないという異常や、或いは、ペダル側部材の変形に起因してペダル側部材が車体部材から正常に離脱しないという異常が発生し、ペダルの車両後方への移動を阻止できないおそれがある。
【０００６】
本発明は、簡単な構成により、衝突時におけるペダルの車両後方への移動を確実に阻止できるようにすることを目的とする。
【課題を解決するための手段】
【０００７】
上記した目的を達成するために、本発明の車両のペダル支持構造は、ペダルが揺動可能にペダルブラケットに支持され、逆Ｌ字状のペダル側部材の下端が前記ペダルブラケットの車両後方部分に固定され、後方に向かうほど下向きに傾斜した車両部材の前端部下面に前記ペダル側部材の上端が車両後方に向って離脱可能に連結され、衝突等による車両後方への衝撃が前記ペダルブラケットに加わることにより、前記ペダル側部材の上端が前記車体部材から離脱した後に、前記ペダル側部材の上面が前記車両部材の下面を車両後方へ摺動するに連れ前記ペダルブラケットの前記車両後方部分が車両下方に導かれることによって、前記ペダルの車両後方への移動を阻止する車両のペダル支持構造において、前記ペダルブラケットの後端部を覆うように前記ペダル側部材の左右の両側に一体形成されたフランジと、前記両フランジの前端部間を橋絡して設けられた橋絡片とを備えることを特徴としている（請求項１）。
【発明の効果】
【０００８】
請求項１に係る発明によれば、ペダルブラケットの後端部を覆うようにペダル側部材の左右の両側にフランジを一体形成し、両フランジの前端部間を橋絡片により橋絡したため、車両の衝突時に、ペダル側部材の“へ”の字変形および口開き変形を防止することができ、ペダル側部材が車両部材の前端部から容易に離脱し、離脱したペダル側部材の上面が車体部材下面を円滑に摺動し、ペダルブラケットの車両後方部分が車体部材の傾斜によって車両下方に導かれ、ペダルブラケットの車両後方部分が車両後下方に移動し、その結果ペダルが揺動軸の周りを車両前方に向けて回転するため、簡単な構成により、衝突時におけるペダルの車両後方への移動を確実に阻止することができる。
【０００９】
また、橋絡片を両フランジの前端部間に橋絡したことにより、従来のようなペダルブラケットの後端部の上向き回転が防止され、ペダル側部材の車両部材の前端部からの離脱がより一層容易になり、ペダル側部材の上面の車体部材下面の摺動を確実なものにすることができる。
【図面の簡単な説明】
【００１０】
【図１】本発明に係る車両のペダル支持構造の一実施形態の側面図である。
【図２】図１の一部の平面図である。
【図３】図１の異なる一部の斜視図である。
【発明を実施するための形態】
【００１１】
本発明のペダル支持構造をブレーキ装置に適用した一実施形態について、図１ないし図３を参照して詳細に説明する。
【００１２】
図１において、１はフレーキ装置であり、車室の前壁を構成するダッシュパネル２に取り付けられたペダルブラケット３と、このペダルブラケット３に揺動軸４ａ回りに揺動可能に支持されたブレーキペダル４と、ブレーキペダル４に連結ピン４ｂを介してそのピストンロッド５ａが連結されたマスタシリンダ５とを備えている。そして、ドライバＭがブレーキペダル４を踏み込むと、その踏込み力がピストンロッド５ａを介してマスタシリンダ５に伝達され、これによりブレーキ作動油圧が発生しブレーキがかかる。
【００１３】
また、図１に示すように、ペダルブラケット３の後部３ａには本発明におけるペダル側部材である連結ブラケット６がボルト７により結合され、この連結ブラケット６は本発明における車両部材である傾斜部材８にペダル支持構造９を介して連結されている。この傾斜部材８は後方に向かうに連れて下方に傾斜した傾斜面をなし、上方に延びる支持ブラケット１０の下端部が傾斜部材８に溶接されており、支持ブラケット１０の上端部はパイプ部材１１に溶接されている。このパイプ部材１１は車幅方向に延び、その両端部は左，右のフレーム部材に接続されている。
【００１４】
ところで、ペダル支持構造９は、連結ブラケット６と傾斜部材８との間に設けられ、連結ブラケット６の離脱後に、連結ブラケット６およびペダルブラケット３を車両後方に向かうほど車両下方に導くように構成されている。
【００１５】
具体的には、連結ブラケット６は、板金製のものであり、ペダルブラケット３の後部３ａに固定された略垂直な縦辺部６ａと、略水平なペダル側平面部６ｂと、このペダル側平面部６ｂと縦辺部６ａとの間の斜めに傾斜した傾斜部６ｃとを有する。そして、図２に示すように、ペダル側平面部６ｂには、Ｕ字状のスリット６ｄが車両前方に向かって開口するように形成されている。
【００１６】
さらに、連結ブラケット６の左右の両側にはフランジ６ｅ，６ｆが一体形成され、連結ブラケット６の断面はコ字状をなし、連結ブラケット６がボルト７によりペダルブラケット３の後部３ａに結合される。これら両フランジ６ｅ，６ｆは、連結ブラケット６を側面視したときの縦辺部６ａ、傾斜部６ｃ、ペダル側平面部６ｂの連続する３辺と、これら３辺と略線対象なす３辺とを有する六角形に形成されており、このようなフランジ６ｅ，６ｆを連結ブラケット６に形成することによって、連結ブラケット６の略縦辺部６ａからペダル側平面部６ｂにかけてペダルブラケット３の後端部を覆うことができるようになっている。
【００１７】
また、細長い平板の両端を後方に略９０度屈曲した形状を有する橋絡片１２が、両屈曲片を両フランジ６ｅ，６ｆに溶接することにより両フランジ６ｅ，６ｆの前端部間に橋絡されている。
【００１８】
そして、図２に示すように、傾斜部材８の前端部８ａに形成されたボルト孔および連結ブラケット６のスリット６ｄを貫通するように挿入されたボルト１３にナットが螺着されて連結ブラケット６が傾斜部材８に結合されている。このとき、ボルト１３およびナットの締め付けトルクが、離脱機能を発揮できる所定範囲に設定され、車両の前方衝突時の衝撃により、ペダルブラケット３に車両後方への衝撃が加わってペダルブラケット３が車両後方に移動し、そのときにボルト１３がスリット６ｄから脱離するため、連結ブラケット６の上端である縦辺部６ａが傾斜部材８から離脱して連結が外れるようになっている。
【００１９】
上記したペダル支持構造９を設けることにより、車両の衝突時に、連結ブラケット６が従来のように“へ”の字に変形したり口開き変形することを防止でき、連結ブラケット６が傾斜部材８の前端部８ａから容易に離脱し、離脱した連結ブラケット６の上面が傾斜部材８の下面を円滑に摺動し、ペダルブラケット３の車両後方部分が傾斜部材８の傾斜によって車両下方に導かれ、ペダルブラケット３の車両後方部分が車両後下方に移動し、その結果ペダル４が揺動軸４ａの周りを車両前方に向けて回転し、衝突時におけるペダルの車両後方への移動が確実に阻止される。また、橋絡片１２を両フランジ６ｅ，６ｆの前端部間に配置したことにより、従来のようなペダルブラケット３の後端部の上向き回転が阻止される。
【００２０】
したがって、上記した実施形態によれば、ペダルブラケット３の後端部を覆うように連結ブラケット６の左右の両側にフランジ６ｅ，６ｆを一体形成し、両フランジ６ｅ，６ｆの前端部間に橋絡片１２を配置したため、車両の衝突時の連結ブラケット６の変形を防止することができ、連結ブラケット６の傾斜部材８の前端部８ａからの離脱を容易にし、ペダルブラケット３の車両後方部分を車両後下方に円滑に移動させてブレーキペダル４を車両前方に向けて回転させることができ、簡単な構成により、衝突時におけるブレーキペダル４の車両後方への移動を確実に阻止することができる。
【００２１】
また、橋絡片１２を両フランジ６ｅ，６ｆの前端部間に配置したため、従来のようなペダルブラケット３の後端部の上向き回転を防止することができ、連結ブラケット６の傾斜部材８の前端部８ａからの離脱がより一層容易になり、連結ブラケット６の上面の傾斜部材８の下面の摺動を確実なものにすることができる。
【００２２】
なお、本発明は上記した実施形態に限定されるものではなく、本発明の趣旨を逸脱しない限りにおいて種々の変更が可能である。
【００２３】
例えば、上記した実施形態では、連結ブラケット６の形状として、縦辺部６ａ、傾斜部６ｃ、ペダル側平面部６ｂからなる構成について説明したが、この形状に限るものではなく、略Ｌ字状を有する形状であってもよく、要するにペダルブラケット３の後端にボルト締結され、連結状態の傾斜部材８から離脱して傾斜部材８の下面を摺動可能な形状であればよい。
【００２４】
また、連結ブラケット６の左右の両側に形成するフランジも上記した六角形の形状のものに限るものではなく、例えばフランジの前端縁が連結ブラケット６の前端であるペダル側平面部６ｂの前端から略直下方向に延び、フランジの下端縁が連結ブラケット６の後端である縦辺部６ａの下端から前方に延びる形状を有していてもよい。
【００２５】
また、両フランジの前端部間に橋絡される橋絡片１２も、上記した形状に限定されるものではなく、例えばボルト１３が脱離可能な切欠が形成され連結ブラケット６の前端縁および両フランジ６ｅ，６ｆの前端縁を塞ぐ形状のものであってもよい。
【００２６】
また、上記した実施形態では、ブレーキペダル４の支持に本発明を適用した場合について説明したが、本発明のブレーキペダル以外のペダルであって、衝突時における後方への移動を阻止する必要のあるペダルの支持に適用することができる。
【符号の説明】
【００２７】
３    …ペダルブラケット
４    …ブレーキペダル
６    …連結ブラケット（ペダル側部材）
６ｅ，６ｆ  …フランジ
８    …傾斜部材（車両部材）
９    …ペダル支持構造
１２  …橋絡片
【図１】
2015158836.tif 000003
【図２】
2015158836.tif 000004
【図３】
2015158836.tif 000005